(57)【要約】  ＶｏＩＰを用いた通信において、無音状態でのＵＥの消費電力を低減する無線通信基地局装置、無線通信端末装置及び無線通信方法を提供する。残量制御部（１０４）は、ＭＣＳインデックスに変調方式と符号化率とが対応付けられており、さらに、ＤＣＩ削除情報が対応付けられたＭＣＳテーブルを備えている。残量制御部（１０４）は、ＭＣＳテーブルと制御部（１０３）から出力された無線リソース割り当て結果とに基づいて、無音情報のフレームが続く場合、無音情報のフレーム数より少ないフレーム数分のＤＣＩを削除するＤＣＩ削除情報を検索し、検索したＤＣＩ削除情報に対応するＭＣＳインデックスを選択できるように、送信データの残量を制御する。選択したＭＣＳインデックスはＵＥに通知される。
2010089825.tif 000002
【特許請求の範囲】
【請求項１】
送信データを一時的に記憶する記憶手段と、
送信データに適用する変調方式と符号化率との組み合わせを示すＭＣＳインデックスに、制御情報を削除する削除情報を対応付けて記憶し、無音情報が継続する場合、前記削除情報に対応するＭＣＳインデックスを選択できるように、前記記憶手段に記憶された送信データの残量を制御する残量制御手段と、
を具備する無線通信基地局装置。
【請求項２】
前記残量制御手段は、ＭＣＳインデックスの予備領域に前記削除情報を対応付けた情報を記憶する請求項１に記載の無線通信基地局装置。
【請求項３】
前記残量制御手段は、前記記憶手段に記憶された無音情報を削除する指示を行う請求項１に記載の無線通信基地局装置。
【請求項４】
送信データに適用する変調方式と符号化率との組み合わせを示すＭＣＳインデックスに、制御情報を削除する削除情報を対応付けて記憶し、無線通信基地局装置から送信されたＭＣＳインデックスに基づいて、次に受信する制御情報の受信可否を判定する受信判定手段と、
前記制御情報が受信不可と判定された場合、前記制御情報の復調を停止する制御情報復調手段と、
を具備する無線通信端末装置。
【請求項５】
前記無線通信基地局装置から送信された送信データに含まれ、削除情報を更新する更新情報を前記送信データから抽出する抽出手段を具備し、
前記受信判定手段は、抽出された前記更新情報を用いて、ＭＣＳインデックスと対応付けた削除情報を更新する請求項４に記載の無線通信端末装置。
【請求項６】
送信データに適用する変調方式と符号化率との組み合わせを示すＭＣＳインデックスと、制御情報を削除する削除情報とを対応付けた情報に基づいて、無音情報が継続する場合、前記削除情報に対応するＭＣＳインデックスを選択できるように、送信データの残量を制御する残量制御工程と、
選択されたＭＣＳインデックスを通信相手に送信する送信工程と、
通信相手から送信されたＭＣＳインデックスに基づいて、次に受信する制御情報の受信可否を判定する受信判定工程と、
前記制御情報が受信不可と判定された場合、前記制御情報の復調を停止する制御情報復調工程と、
を具備する無線通信方法。
【発明の詳細な説明】
【技術分野】
【０００１】
本発明は、ＶｏＩＰ（Voice over IP）を適用した無線通信基地局装置、無線通信端末装置及び無線通信方法に関する。
【背景技術】
【０００２】
３ＧＰＰ ＬＴＥ（3rd Generation Partnership Project Long Term Evolution）において、基地局から端末（以下、「ＵＥ」という）への下り回線（ＤＬ）では、図１に示すように、ＤＣＩ（Downlink Control Information）とＳＣＨ（Shared Channel）からなるフレームフォーマットが決定されている。ＤＣＩには複数ＵＥ分の制御データが格納され、ＳＣＨには複数ＵＥ分のデータが格納される。また、フレーム長をＴＴＩ（Transmission Time Interval）で表し、例えば１ｍｓとする。【０００３】
また、３ＧＰＰ ＬＴＥでは、基地局がＵＥに無線リソースをスケジューリングする方法として２種類検討されている。一つは、ダイナミックスケジューリング（Dynamic Scheduling）であり、もう一つは、パーシステントスケジューリング（Persistent Scheduling）である。以下、これらのスケジューリング方法について説明する。なお、ＬＴＥのＤＬフォーマットはこれらのスケジューリング方法に依存せず、共通とする。【０００４】
ダイナミックスケジューリングでは、図２に示すように、基地局からＵＥにＴＴＩ毎にＤＣＩを送信し、ＵＥは基地局から送信されたＤＣＩをＴＴＩ毎に復号し、復号したＤＣＩに自局宛の情報があれば、その情報に基づいて、自局宛のＤＣＩを含むフレームから自局宛のＳＣＨを復号する。【０００５】
一方、パーシステントスケジューリングでは、図３に示すように、基地局からＵＥにＴＴＩよりも長い一定間隔（ＤＣＩ送信間隔）でＤＣＩを送信し、ＵＥは基地局から送信されたＤＣＩを一定間隔毎に復号し、復号したＤＣＩに基づいて、ＤＣＩ送信間隔内で受信した自局宛のＳＣＨを復号する。３ＧＰＰ ＬＴＥにおいて、ＶｏＩＰにはパーシステントスケジューリングが適用されることが決定されている。【０００６】
ＶｏＩＰによる通信において、無音時に無線リソースを用いることは限られた無線リソースの利用効率の低下を招いてしまう。このため、非特許文献１には、次のＤＣＩ送信まで無音状態が続く場合には、ＤＣＩに多重されるパラメータRB assignment（各ＵＥのＳＣＨ無線リソース情報）を０として基地局が送信し、無線リソースの利用効率を向上させる技術が開示されている。
【先行技術文献】
【非特許文献】
【０００７】
【非特許文献１】Philips, NXP, “PDCCH message information content for persistent scheduling” 3GPP TSG RAN WG1 Meeting #53, Kansas City, USA, 5th-9th May 2008, R1-082039
【発明の概要】
【発明が解決しようとする課題】
【０００８】
しかしながら、上述した非特許文献１に開示の技術では、無音状態のため、ＵＥがＳＣＨを受信していない場合でも、ＵＥはＤＣＩを復号する必要がある（図４参照）。また、ＵＥは復号したＤＣＩに含まれる多くの情報から自局に必要な情報を抽出しなければならず、ＵＥの消費電力が増大するという問題がある。【０００９】
本発明はかかる点に鑑みてなされたものであり、ＶｏＩＰを用いた通信において、無音状態でのＵＥの消費電力を低減する無線通信基地局装置、無線通信端末装置及び無線通信方法を提供することを目的とする。
【課題を解決するための手段】
【００１０】
本発明の無線通信基地局装置は、送信データを一時的に記憶する記憶手段と、送信データに適用する変調方式と符号化率との組み合わせを示すＭＣＳインデックスに、制御情報を削除する削除情報を対応付けて記憶し、無音情報が継続する場合、前記削除情報に対応するＭＣＳインデックスを選択できるように、前記記憶手段に記憶された送信データの残量を制御する残量制御手段と、を具備する構成を採る。【００１１】
本発明の無線通信端末装置は、送信データに適用する変調方式と符号化率との組み合わせを示すＭＣＳインデックスに、制御情報を削除する削除情報を対応付けて記憶し、無線通信基地局装置から送信されたＭＣＳインデックスに基づいて、次に受信する制御情報の受信可否を判定する受信判定手段と、前記制御情報が受信不可と判定された場合、前記制御情報の復調を停止する制御情報復調手段と、を具備する構成を採る。【００１２】
本発明の無線通信方法は、送信データに適用する変調方式と符号化率との組み合わせを示すＭＣＳインデックスと、制御情報を削除する削除情報とを対応付けた情報に基づいて、無音情報が継続する場合、前記削除情報に対応するＭＣＳインデックスを選択できるように、送信データの残量を制御する残量制御工程と、選択されたＭＣＳインデックスを通信相手に送信する送信工程と、通信相手から送信されたＭＣＳインデックスに基づいて、次に受信する制御情報の受信可否を判定する受信判定工程と、前記制御情報が受信不可と判定された場合、前記制御情報の復調を停止する制御情報復調工程と、を具備するようにした。
【発明の効果】
【００１３】
本発明によれば、ＶｏＩＰを用いた通信において、無音状態でのＵＥの消費電力を低減することができる。
【図面の簡単な説明】
【００１４】
【図１】３ＧＰＰ ＬＴＥにおけるフレームフォーマットを示す図
【図２】ダイナミックスケジューリングの説明に供する図
【図３】パーシステントスケジューリングの説明に供する図
【図４】課題の説明に供する図
【図５】本発明の実施の形態１及び２に係る基地局の構成を示すブロック図
【図６】本発明の実施の形態１に係るＭＣＳテーブルの一例を示す図
【図７】本発明の実施の形態１及び２に係るＵＥの構成を示すブロック図
【図８】図５に示した基地局における送信データの残量制御の説明に供する図
【図９】本発明の実施の形態２に係るＭＣＳテーブルの一例を示す図
【図１０】図９に示したＭＣＳテーブルを用いた残量制御の説明に供する図
【発明を実施するための形態】
【００１５】
以下、本発明の実施の形態について、図面を参照して詳細に説明する。
【００１６】
（実施の形態１）
図５は、本発明の実施の形態１に係る基地局１００の構成を示すブロック図である。この図において、スケジューリング部１０１は、図示せぬ制御部等から基地局配下のＵＥ数、ＵＥから送信された信号の受信品質及びＭＢＭＳ（Multimedia Broadcast Multicast Service）情報を取得する。また、後述する送信バッファ部１０２−１〜１０２−Ｎから基地局配下の各ＵＥに送信する送信データ量を取得する。スケジューリング部１０１は、取得したこれらの情報に基づいて、無線リソースの割り当てを行い、無線リソース割り当て結果を送信バッファ部１０２−１〜１０２−Ｎ及びＤＣＩ符号化変調部１０７にそれぞれ出力する。
【００１７】
また、スケジューリング部１０１は、ＭＣＳ（Modulation and Coding Scheme）テーブルを備えており、取得した情報とＭＣＳテーブルとに基づいて、各ＵＥに割り当てるＭＣＳを決定し、決定したＭＣＳを示すインデックス（ＭＣＳインデックス）をＤＣＩ符号化変調部１０７に出力する。なお、ＭＣＳテーブルの詳細については後述する。
【００１８】
送信バッファ部１０２−１〜１０２−Ｎは、基地局配下のＵＥにそれぞれ一対一で対応し、ＵＥに送信する送信データをバッファリングし、ＵＥに送信する送信データ量をスケジューリング部１０１に通知する。また、送信バッファ部１０２−１〜１０２−Ｎは、スケジューリング部１０１から出力された無線リソースの割り当て結果に基づいて、送信データをＳＣＨ符号化変調部１０６に出力する。なお、送信バッファ部１０２−１〜１０２−Ｎはそれぞれ同一の構成を有するため、送信バッファ部１０２−１を例に挙げて説明する。送信バッファ部１０２−１は、制御部１０３、残量制御部１０４及びバッファ１０５を備える。
【００１９】
制御部１０３は、後述する残量制御部１０４から出力される残量制御された送信データ量をスケジューリング部１０１に出力すると共に、残量制御部１０４から出力される送信データをＳＣＨ符号化変調部１０６に出力する。また、制御部１０３は、スケジューリング部１０１から出力された無線リソース割り当て結果を残量制御部１０４に出力する。
【００２０】
残量制御部１０４は、スケジューリング部１０１が備えるＭＣＳテーブルと同じＭＣＳテーブルを備えている。ここで、このＭＣＳテーブルについて説明する。図６に示すように、ＭＣＳインデックスには、変調方式と符号化率とが対応付けられており、さらに、ＤＣＩ削除情報が対応付けられている。ＤＣＩ削除情報とは、無音状態が継続する場合に不要なＤＣＩを送信しないこと、すなわち、ＤＣＩを削除するフレーム数を通知する情報である。残量制御部１０４は、ＭＣＳテーブルと制御部１０３から出力された無線リソース割り当て結果とに基づいて、無音情報のフレームが続く場合、無音情報のフレーム数より少ないフレーム数分のＤＣＩを削除するＤＣＩ削除情報を検索し、検索したＤＣＩ削除情報に対応するＭＣＳインデックスを選択できるように、送信データの残量を制御する。そして、残量を制御した送信データ量を制御部１０３に通知する。また、残量制御部１０４は、残量制御後のバッファアドレスをバッファ１０５に出力する。
【００２１】
バッファ１０５は、ＵＥに送信するデータを一時格納し、残量制御部１０４から出力されたバッファアドレスに従って、送信データを残量制御部１０４に出力する。
【００２２】
ＳＣＨ符号化変調部１０６は、送信バッファ部１０２−１〜１０２−Ｎから出力された送信データを符号化及び変調し、ＵＥに宛てて送信する。
【００２３】
ＤＣＩ符号化変調部１０７は、スケジューリング部１０１から出力された無線リソース割り当て結果及びＭＣＳインデックスを符号化及び変調し、ＵＥに宛てて送信する。
【００２４】
図７は、本発明の実施の形態１に係るＵＥ２００の構成を示すブロック図である。この図において、ＤＣＩ復調部２０１は、後述するＤＣＩ受信判定部２０６から受信可能を示す受信イネーブルを取得した場合、基地局１００から送信されたＤＣＩを復調し、ＤＣＩ受信判定部２０６から受信不可を示す受信ディセーブルを取得した場合、ＤＣＩの復調を行わない。復調されたＤＣＩはＤＣＩ復号部２０２に出力される。
【００２５】
ＤＣＩ復号部２０２は、ＤＣＩ復調部２０１から出力されたＤＣＩを復号し、無線リソース割り当て結果及びＭＣＳインデックスを取得する。取得した無線リソースの割り当て結果はＳＣＨ復調部２０３に出力され、ＭＣＳインデックスはＳＣＨ復号部２０４及びＤＣＩ受信判定部２０６に出力される。
【００２６】
ＳＣＨ復調部２０３は、ＤＣＩ復号部２０２から出力された無線リソースの割り当て結果に基づいて、基地局から送信されたＳＣＨを復調し、復調したＳＣＨをＳＣＨ復号部２０４に出力する。
【００２７】
ＳＣＨ復号部２０４は、ＤＣＩ復号部２０２から出力されたＭＣＳインデックスに従って、ＳＣＨ復調部２０３から出力されたＳＣＨを復号し、復号結果を出力する。なお、復号結果にＭＣＳインデックスとＤＣＩ削除情報との対応関係を更新するＭＣＳテーブル更新情報が含まれることがあり、復号結果がＭＣＳテーブル更新情報抽出部２０５に出力される。
【００２８】
ＭＣＳテーブル更新情報抽出部２０５は、ＳＣＨ復号部２０４から出力された復号結果にＭＣＳテーブル更新情報が含まれているか否かを検出し、ＭＣＳテーブル更新情報が含まれている場合には、復号結果からＭＣＳテーブル更新情報を抽出してＤＣＩ受信判定部２０６に出力する。
【００２９】
ＤＣＩ受信判定部２０６は、図６に示すようなＭＣＳテーブルを備え、ＭＣＳテーブル更新情報抽出部２０５からＭＣＳテーブル更新情報が出力された場合、ＭＣＳテーブルを更新する。また、ＤＣＩ受信判定部２０６は、ＤＣＩ復号部２０２から出力されたＭＣＳインデックスとＭＣＳテーブルとに基づいて、基地局から送信される次のＤＣＩの受信可否を判断する。受信可能と判断した場合には、受信イネーブルを生成してＤＣＩ復調部２０１に出力し、受信不可と判断した場合には、受信ディセーブルを生成してＤＣＩ復調部２０１に出力する。
【００３０】
次に、図５に示した基地局１００における送信データの残量制御について図８を用いて詳細に説明する。図８はバッファ１０５に格納された送信データの様子を示しており、図８（Ａ）から図８（Ｃ）の順にＴＴＩ（ここでは、２フレームに相当）毎に時間が経過している様子を示している。図８（Ａ）の状態から図８（Ｂ）の状態に移行すると、無音情報のフレームが３フレーム続くことから、残量制御部１０４は、図６に示したＭＣＳテーブルを参照し、３フレーム分のＤＣＩを削除するＤＣＩ削除情報に該当するＭＣＳインデックス３を選択できるように、送信データの残量を制御する。すなわち、ＭＣＳインデックス３には、変調方式ＱＰＳＫと、符号化率０．２４５とが対応付けられているので、このＭＣＳによって送信可能なデータ量に制御する必要がある。
【００３１】
図８（Ｃ）では、基地局のバッファ１０５は３フレーム分の無音情報を削除し、ＵＥ２００のＤＣＩ復調部２０１はＭＣＳインデックス３を受信した後の３フレーム（１．５ＴＴＩ）のＤＣＩの復調を停止する。
【００３２】
これにより、基地局１００からＵＥ２００への新たなシグナリングを追加することなく、無音状態の継続時間をＵＥ２００に通知することができ、ＵＥ２００は通知された継続時間だけＤＣＩの復調を停止することにより、消費電力を低減することができる。
【００３３】
このように実施の形態１によれば、ＭＣＳテーブルにＤＣＩ削除情報を対応付け、無音状態が継続する場合、無音状態の継続時間をＭＣＳインデックスによって基地局からＵＥに通知し、ＵＥは無音状態の継続時間だけＤＣＩの復調を停止することにより、ＶｏＩＰを用いた通信において、ＵＥの消費電力を低減することができる。
【００３４】
（実施の形態２）
本発明の実施の形態２に係る基地局及びＵＥの構成は、実施の形態１の図５及び図７に示した構成とそれぞれ同様であるので、図５及び図７を援用して説明する。
【００３５】
図９は、本発明の実施の形態２に係るＭＣＳテーブルの一例を示す図である。本実施の形態では、ＤＣＩ削除情報を対応付けるインデックスをＭＣＳテーブルの予備領域とする。図９の例では、ＭＣＳインデックス２９〜３１にＤＣＩ削除情報を対応付けている。
【００３６】
次に、図９に示したＭＣＳテーブルを用いた残量制御について図１０を参照して詳細に説明する。図１０はバッファに格納された送信データの様子を示しており、図１０（Ａ）から図１０（Ｃ）の順にＴＴＩ毎に時間が経過している様子を示している。図１０（Ａ）の状態から図１０（Ｂ）の状態に移行すると、無音情報のフレームが７フレーム続くことから、残量制御部１０４は、図９に示したＭＣＳテーブルを参照し、７フレーム分のＤＣＩを削除するＤＣＩ削除情報に該当するＭＣＳインデックス２９を選択できるように、送信データの残量を制御する。
【００３７】
図１０（Ｃ）では、基地局のバッファ１０５は７フレーム分の無音情報を削除し、ＵＥ２００のＤＣＩ復調部２０１はＭＣＳインデックス２９を受信した後の７フレーム（７ＴＴＩ）のＤＣＩの復調を停止する。
【００３８】
このように実施の形態２によれば、ＭＣＳテーブルにＤＣＩ削除情報を対応付け、無音状態が継続する場合、無音状態の継続時間をＭＣＳインデックスによって基地局からＵＥに通知し、ＵＥは無音状態の継続時間だけＤＣＩの復調を停止することにより、ＶｏＩＰを用いた通信において、ＵＥの消費電力を低減することができる。
【００３９】
なお、本実施の形態では、７フレーム分のＤＣＩを削除する場合について説明したが、本発明はこれに限らず、２以上の複数フレーム分のＤＣＩを削除できるように設定されればよい。
【００４０】
２００９年２月４日出願の特願２００９−０２３６６７の日本出願に含まれる明細書、図面及び要約書の開示内容は、すべて本願に援用される。
【産業上の利用可能性】
【００４１】
本発明にかかる無線通信基地局装置、無線通信端末装置及び無線通信方法は、例えば、３ＧＰＰ ＬＴＥなどの移動通信システムに適用できる。
【図１】
2010089825.tif 000003
【図２】
2010089825.tif 000004
【図３】
2010089825.tif 000005
【図４】
2010089825.tif 000006
【図５】
2010089825.tif 000007
【図６】
2010089825.tif 000008
【図７】
2010089825.tif 000009
【図８】
2010089825.tif 000010
【図９】
2010089825.tif 000011
【図１０】
2010089825.tif 000012
【手続補正書】
【提出日】平成23年5月26日(2011.5.26)
【手続補正１】
【補正対象書類名】明細書
【補正対象項目名】全文
【補正方法】変更
【補正の内容】
【発明の詳細な説明】
【技術分野】
【０００１】
本発明は、ＶｏＩＰ（Voice over IP）を適用した無線通信基地局装置、無線通信端末装置及び無線通信方法に関する。
【背景技術】
【０００２】
３ＧＰＰ ＬＴＥ（3rd Generation Partnership Project Long Term Evolution）において、基地局から端末（以下、「ＵＥ」という）への下り回線（ＤＬ）では、図１に示すように、ＤＣＩ（Downlink Control Information）とＳＣＨ（Shared Channel）からなるフレームフォーマットが決定されている。ＤＣＩには複数ＵＥ分の制御データが格納され、ＳＣＨには複数ＵＥ分のデータが格納される。また、フレーム長をＴＴＩ（Transmission Time Interval）で表し、例えば１ｍｓとする。
【０００３】
また、３ＧＰＰ ＬＴＥでは、基地局がＵＥに無線リソースをスケジューリングする方法として２種類検討されている。一つは、ダイナミックスケジューリング（Dynamic Scheduling）であり、もう一つは、パーシステントスケジューリング（Persistent Scheduling）である。以下、これらのスケジューリング方法について説明する。なお、ＬＴＥのＤＬフォーマットはこれらのスケジューリング方法に依存せず、共通とする。
【０００４】
ダイナミックスケジューリングでは、図２に示すように、基地局からＵＥにＴＴＩ毎にＤＣＩを送信し、ＵＥは基地局から送信されたＤＣＩをＴＴＩ毎に復号し、復号したＤＣＩに自局宛の情報があれば、その情報に基づいて、自局宛のＤＣＩを含むフレームから自局宛のＳＣＨを復号する。
【０００５】
一方、パーシステントスケジューリングでは、図３に示すように、基地局からＵＥにＴＴＩよりも長い一定間隔（ＤＣＩ送信間隔）でＤＣＩを送信し、ＵＥは基地局から送信されたＤＣＩを一定間隔毎に復号し、復号したＤＣＩに基づいて、ＤＣＩ送信間隔内で受信した自局宛のＳＣＨを復号する。３ＧＰＰ ＬＴＥにおいて、ＶｏＩＰにはパーシステントスケジューリングが適用されることが決定されている。
【０００６】
ＶｏＩＰによる通信において、無音時に無線リソースを用いることは限られた無線リソースの利用効率の低下を招いてしまう。このため、非特許文献１には、次のＤＣＩ送信まで無音状態が続く場合には、ＤＣＩに多重されるパラメータRB assignment（各ＵＥのＳＣＨ無線リソース情報）を０として基地局が送信し、無線リソースの利用効率を向上させる技術が開示されている。
【先行技術文献】
【非特許文献】
【０００７】
【非特許文献１】Philips, NXP, “PDCCH message information content for persistent scheduling” 3GPP TSG RAN WG1 Meeting #53, Kansas City, USA, 5th-9th May 2008, R1-082039
【発明の概要】
【発明が解決しようとする課題】
【０００８】
しかしながら、上述した非特許文献１に開示の技術では、無音状態のため、ＵＥがＳＣＨを受信していない場合でも、ＵＥはＤＣＩを復号する必要がある（図４参照）。また、ＵＥは復号したＤＣＩに含まれる多くの情報から自局に必要な情報を抽出しなければならず、ＵＥの消費電力が増大するという問題がある。
【０００９】
本発明はかかる点に鑑みてなされたものであり、ＶｏＩＰを用いた通信において、無音状態でのＵＥの消費電力を低減する無線通信基地局装置、無線通信端末装置及び無線通信方法を提供することを目的とする。
【課題を解決するための手段】
【００１０】
本発明の無線通信基地局装置は、送信データを一時的に記憶する記憶手段と、送信データに適用する変調方式と符号化率との組み合わせを示すＭＣＳインデックスに、制御情報を削除する削除情報を対応付けて記憶し、無音情報が継続する場合、前記削除情報に対応するＭＣＳインデックスを選択できるように、前記記憶手段に記憶された送信データの残量を制御する残量制御手段と、を具備する構成を採る。
【００１１】
本発明の無線通信端末装置は、送信データに適用する変調方式と符号化率との組み合わせを示すＭＣＳインデックスに、制御情報を削除する削除情報を対応付けて記憶し、無線通信基地局装置から送信されたＭＣＳインデックスに基づいて、次に受信する制御情報の受信可否を判定する受信判定手段と、前記制御情報が受信不可と判定された場合、前記制御情報の復調を停止する制御情報復調手段と、を具備する構成を採る。
【００１２】
本発明の無線通信方法は、送信データに適用する変調方式と符号化率との組み合わせを示すＭＣＳインデックスと、制御情報を削除する削除情報とを対応付けた情報に基づいて、無音情報が継続する場合、前記削除情報に対応するＭＣＳインデックスを選択できるように、送信データの残量を制御する残量制御工程と、選択されたＭＣＳインデックスを通信相手に送信する送信工程と、通信相手から送信されたＭＣＳインデックスに基づいて、次に受信する制御情報の受信可否を判定する受信判定工程と、前記制御情報が受信不可と判定された場合、前記制御情報の復調を停止する制御情報復調工程と、を具備するようにした。
【発明の効果】
【００１３】
本発明によれば、ＶｏＩＰを用いた通信において、無音状態でのＵＥの消費電力を低減することができる。
【図面の簡単な説明】
【００１４】
【図１】３ＧＰＰ ＬＴＥにおけるフレームフォーマットを示す図
【図２】ダイナミックスケジューリングの説明に供する図
【図３】パーシステントスケジューリングの説明に供する図
【図４】課題の説明に供する図
【図５】本発明の実施の形態１及び２に係る基地局の構成を示すブロック図
【図６】本発明の実施の形態１に係るＭＣＳテーブルの一例を示す図
【図７】本発明の実施の形態１及び２に係るＵＥの構成を示すブロック図
【図８】図５に示した基地局における送信データの残量制御の説明に供する図
【図９】本発明の実施の形態２に係るＭＣＳテーブルの一例を示す図
【図１０】図９に示したＭＣＳテーブルを用いた残量制御の説明に供する図
【発明を実施するための形態】
【００１５】
以下、本発明の実施の形態について、図面を参照して詳細に説明する。
【００１６】
（実施の形態１）
図５は、本発明の実施の形態１に係る基地局１００の構成を示すブロック図である。この図において、スケジューリング部１０１は、図示せぬ制御部等から基地局配下のＵＥ数、ＵＥから送信された信号の受信品質及びＭＢＭＳ（Multimedia Broadcast Multicast S
ervice）情報を取得する。また、後述する送信バッファ部１０２−１〜１０２−Ｎから基地局配下の各ＵＥに送信する送信データ量を取得する。スケジューリング部１０１は、取得したこれらの情報に基づいて、無線リソースの割り当てを行い、無線リソース割り当て結果を送信バッファ部１０２−１〜１０２−Ｎ及びＤＣＩ符号化変調部１０７にそれぞれ出力する。
【００１７】
また、スケジューリング部１０１は、ＭＣＳ（Modulation and Coding Scheme）テーブルを備えており、取得した情報とＭＣＳテーブルとに基づいて、各ＵＥに割り当てるＭＣＳを決定し、決定したＭＣＳを示すインデックス（ＭＣＳインデックス）をＤＣＩ符号化変調部１０７に出力する。なお、ＭＣＳテーブルの詳細については後述する。
【００１８】
送信バッファ部１０２−１〜１０２−Ｎは、基地局配下のＵＥにそれぞれ一対一で対応し、ＵＥに送信する送信データをバッファリングし、ＵＥに送信する送信データ量をスケジューリング部１０１に通知する。また、送信バッファ部１０２−１〜１０２−Ｎは、スケジューリング部１０１から出力された無線リソースの割り当て結果に基づいて、送信データをＳＣＨ符号化変調部１０６に出力する。なお、送信バッファ部１０２−１〜１０２−Ｎはそれぞれ同一の構成を有するため、送信バッファ部１０２−１を例に挙げて説明する。送信バッファ部１０２−１は、制御部１０３、残量制御部１０４及びバッファ１０５を備える。
【００１９】
制御部１０３は、後述する残量制御部１０４から出力される残量制御された送信データ量をスケジューリング部１０１に出力すると共に、残量制御部１０４から出力される送信データをＳＣＨ符号化変調部１０６に出力する。また、制御部１０３は、スケジューリング部１０１から出力された無線リソース割り当て結果を残量制御部１０４に出力する。
【００２０】
残量制御部１０４は、スケジューリング部１０１が備えるＭＣＳテーブルと同じＭＣＳテーブルを備えている。ここで、このＭＣＳテーブルについて説明する。図６に示すように、ＭＣＳインデックスには、変調方式と符号化率とが対応付けられており、さらに、ＤＣＩ削除情報が対応付けられている。ＤＣＩ削除情報とは、無音状態が継続する場合に不要なＤＣＩを送信しないこと、すなわち、ＤＣＩを削除するフレーム数を通知する情報である。残量制御部１０４は、ＭＣＳテーブルと制御部１０３から出力された無線リソース割り当て結果とに基づいて、無音情報のフレームが続く場合、無音情報のフレーム数より少ないフレーム数分のＤＣＩを削除するＤＣＩ削除情報を検索し、検索したＤＣＩ削除情報に対応するＭＣＳインデックスを選択できるように、送信データの残量を制御する。そして、残量を制御した送信データ量を制御部１０３に通知する。また、残量制御部１０４は、残量制御後のバッファアドレスをバッファ１０５に出力する。
【００２１】
バッファ１０５は、ＵＥに送信するデータを一時格納し、残量制御部１０４から出力されたバッファアドレスに従って、送信データを残量制御部１０４に出力する。
【００２２】
ＳＣＨ符号化変調部１０６は、送信バッファ部１０２−１〜１０２−Ｎから出力された送信データを符号化及び変調し、ＵＥに宛てて送信する。
【００２３】
ＤＣＩ符号化変調部１０７は、スケジューリング部１０１から出力された無線リソース割り当て結果及びＭＣＳインデックスを符号化及び変調し、ＵＥに宛てて送信する。
【００２４】
図７は、本発明の実施の形態１に係るＵＥ２００の構成を示すブロック図である。この図において、ＤＣＩ復調部２０１は、後述するＤＣＩ受信判定部２０６から受信可能を示す受信イネーブルを取得した場合、基地局１００から送信されたＤＣＩを復調し、ＤＣＩ受信判定部２０６から受信不可を示す受信ディセーブルを取得した場合、ＤＣＩの復調を
行わない。復調されたＤＣＩはＤＣＩ復号部２０２に出力される。
【００２５】
ＤＣＩ復号部２０２は、ＤＣＩ復調部２０１から出力されたＤＣＩを復号し、無線リソース割り当て結果及びＭＣＳインデックスを取得する。取得した無線リソースの割り当て結果はＳＣＨ復調部２０３に出力され、ＭＣＳインデックスはＳＣＨ復号部２０４及びＤＣＩ受信判定部２０６に出力される。
【００２６】
ＳＣＨ復調部２０３は、ＤＣＩ復号部２０２から出力された無線リソースの割り当て結果に基づいて、基地局から送信されたＳＣＨを復調し、復調したＳＣＨをＳＣＨ復号部２０４に出力する。
【００２７】
ＳＣＨ復号部２０４は、ＤＣＩ復号部２０２から出力されたＭＣＳインデックスに従って、ＳＣＨ復調部２０３から出力されたＳＣＨを復号し、復号結果を出力する。なお、復号結果にＭＣＳインデックスとＤＣＩ削除情報との対応関係を更新するＭＣＳテーブル更新情報が含まれることがあり、復号結果がＭＣＳテーブル更新情報抽出部２０５に出力される。
【００２８】
ＭＣＳテーブル更新情報抽出部２０５は、ＳＣＨ復号部２０４から出力された復号結果にＭＣＳテーブル更新情報が含まれているか否かを検出し、ＭＣＳテーブル更新情報が含まれている場合には、復号結果からＭＣＳテーブル更新情報を抽出してＤＣＩ受信判定部２０６に出力する。
【００２９】
ＤＣＩ受信判定部２０６は、図６に示すようなＭＣＳテーブルを備え、ＭＣＳテーブル更新情報抽出部２０５からＭＣＳテーブル更新情報が出力された場合、ＭＣＳテーブルを更新する。また、ＤＣＩ受信判定部２０６は、ＤＣＩ復号部２０２から出力されたＭＣＳインデックスとＭＣＳテーブルとに基づいて、基地局から送信される次のＤＣＩの受信可否を判断する。受信可能と判断した場合には、受信イネーブルを生成してＤＣＩ復調部２０１に出力し、受信不可と判断した場合には、受信ディセーブルを生成してＤＣＩ復調部２０１に出力する。
【００３０】
次に、図５に示した基地局１００における送信データの残量制御について図８を用いて詳細に説明する。図８はバッファ１０５に格納された送信データの様子を示しており、図８（Ａ）から図８（Ｃ）の順にＴＴＩ（ここでは、２フレームに相当）毎に時間が経過している様子を示している。図８（Ａ）の状態から図８（Ｂ）の状態に移行すると、無音情報のフレームが３フレーム続くことから、残量制御部１０４は、図６に示したＭＣＳテーブルを参照し、３フレーム分のＤＣＩを削除するＤＣＩ削除情報に該当するＭＣＳインデックス３を選択できるように、送信データの残量を制御する。すなわち、ＭＣＳインデックス３には、変調方式ＱＰＳＫと、符号化率０．２４５とが対応付けられているので、このＭＣＳによって送信可能なデータ量に制御する必要がある。
【００３１】
図８（Ｃ）では、基地局のバッファ１０５は３フレーム分の無音情報を削除し、ＵＥ２００のＤＣＩ復調部２０１はＭＣＳインデックス３を受信した後の３フレーム（１．５ＴＴＩ）のＤＣＩの復調を停止する。
【００３２】
これにより、基地局１００からＵＥ２００への新たなシグナリングを追加することなく、無音状態の継続時間をＵＥ２００に通知することができ、ＵＥ２００は通知された継続時間だけＤＣＩの復調を停止することにより、消費電力を低減することができる。
【００３３】
このように実施の形態１によれば、ＭＣＳテーブルにＤＣＩ削除情報を対応付け、無音状態が継続する場合、無音状態の継続時間をＭＣＳインデックスによって基地局からＵＥ
に通知し、ＵＥは無音状態の継続時間だけＤＣＩの復調を停止することにより、ＶｏＩＰを用いた通信において、ＵＥの消費電力を低減することができる。
【００３４】
（実施の形態２）
本発明の実施の形態２に係る基地局及びＵＥの構成は、実施の形態１の図５及び図７に示した構成とそれぞれ同様であるので、図５及び図７を援用して説明する。
【００３５】
図９は、本発明の実施の形態２に係るＭＣＳテーブルの一例を示す図である。本実施の形態では、ＤＣＩ削除情報を対応付けるインデックスをＭＣＳテーブルの予備領域とする。図９の例では、ＭＣＳインデックス２９〜３１にＤＣＩ削除情報を対応付けている。
【００３６】
次に、図９に示したＭＣＳテーブルを用いた残量制御について図１０を参照して詳細に説明する。図１０はバッファに格納された送信データの様子を示しており、図１０（Ａ）から図１０（Ｃ）の順にＴＴＩ毎に時間が経過している様子を示している。図１０（Ａ）の状態から図１０（Ｂ）の状態に移行すると、無音情報のフレームが７フレーム続くことから、残量制御部１０４は、図９に示したＭＣＳテーブルを参照し、７フレーム分のＤＣＩを削除するＤＣＩ削除情報に該当するＭＣＳインデックス２９を選択できるように、送信データの残量を制御する。
【００３７】
図１０（Ｃ）では、基地局のバッファ１０５は７フレーム分の無音情報を削除し、ＵＥ２００のＤＣＩ復調部２０１はＭＣＳインデックス２９を受信した後の７フレーム（７ＴＴＩ）のＤＣＩの復調を停止する。
【００３８】
このように実施の形態２によれば、ＭＣＳテーブルにＤＣＩ削除情報を対応付け、無音状態が継続する場合、無音状態の継続時間をＭＣＳインデックスによって基地局からＵＥに通知し、ＵＥは無音状態の継続時間だけＤＣＩの復調を停止することにより、ＶｏＩＰを用いた通信において、ＵＥの消費電力を低減することができる。
【００３９】
なお、本実施の形態では、７フレーム分のＤＣＩを削除する場合について説明したが、本発明はこれに限らず、２以上の複数フレーム分のＤＣＩを削除できるように設定されればよい。
【００４０】
２００９年２月４日出願の特願２００９−０２３６６７の日本出願に含まれる明細書、図面及び要約書の開示内容は、すべて本願に援用される。
【産業上の利用可能性】
【００４１】
本発明にかかる無線通信基地局装置、無線通信端末装置及び無線通信方法は、例えば、３ＧＰＰ ＬＴＥなどの移動通信システムに適用できる。
【手続補正２】
【補正対象書類名】特許請求の範囲
【補正対象項目名】全文
【補正方法】変更
【補正の内容】
【特許請求の範囲】
【請求項１】
送信データを一時的に記憶する記憶手段と、
送信データに適用する変調方式と符号化率との組み合わせを示すＭＣＳインデックスに、制御情報を削除する削除情報を対応付けて記憶し、無音情報が継続する場合、前記削除情報に対応するＭＣＳインデックスを選択できるように、前記記憶手段に記憶された送信データの残量を制御する残量制御手段と、
を具備する無線通信基地局装置。
【請求項２】
前記残量制御手段は、ＭＣＳインデックスの予備領域に前記削除情報を対応付けた情報を記憶する請求項１に記載の無線通信基地局装置。
【請求項３】
前記残量制御手段は、前記記憶手段に記憶された無音情報を削除する指示を行う請求項１に記載の無線通信基地局装置。
【請求項４】
送信データに適用する変調方式と符号化率との組み合わせを示すＭＣＳインデックスに、制御情報を削除する削除情報を対応付けて記憶し、無線通信基地局装置から送信されたＭＣＳインデックスに基づいて、次に受信する制御情報の受信可否を判定する受信判定手段と、
前記制御情報が受信不可と判定された場合、前記制御情報の復調を停止する制御情報復調手段と、
を具備する無線通信端末装置。
【請求項５】
前記無線通信基地局装置から送信された送信データに含まれ、削除情報を更新する更新情報を前記送信データから抽出する抽出手段を具備し、
前記受信判定手段は、抽出された前記更新情報を用いて、ＭＣＳインデックスと対応付けた削除情報を更新する請求項４に記載の無線通信端末装置。
【請求項６】
送信データに適用する変調方式と符号化率との組み合わせを示すＭＣＳインデックスと、制御情報を削除する削除情報とを対応付けた情報に基づいて、無音情報が継続する場合、前記削除情報に対応するＭＣＳインデックスを選択できるように、送信データの残量を制御する残量制御工程と、
選択されたＭＣＳインデックスを通信相手に送信する送信工程と、
通信相手から送信されたＭＣＳインデックスに基づいて、次に受信する制御情報の受信可否を判定する受信判定工程と、
前記制御情報が受信不可と判定された場合、前記制御情報の復調を停止する制御情報復調工程と、
を具備する無線通信方法。
【手続補正３】
【補正対象書類名】図面
【補正対象項目名】全図
【補正方法】変更
【補正の内容】
【図１】
2010089825.tif 000013
【図２】
2010089825.tif 000014
【図３】
2010089825.tif 000015
【図４】
2010089825.tif 000016
【図５】
2010089825.tif 000017
【図６】
2010089825.tif 000018
【図７】
2010089825.tif 000019
【図８】
2010089825.tif 000020
【図９】
2010089825.tif 000021
【図１０】
2010089825.tif 000022
【国際調査報告】
2010089825.tif 000023
2010089825.tif 000024